(57)【要約】      （修正有）【課題】郵便物を仕分けするための装置を提供する。【解決手段】郵便物２を仕分けるための装置１は、連続して置かれた郵便物を連続して立った状態で移動させる仕分けコンベヤ４へ送り出すように、郵便物のスタックの先頭で郵便物を分離するのに適した取出し板３を有する取出し部を含む。該装置１は、さらに、該取出し板より上流で、立った状態の郵便物のスタックを受け取るように設計されたモータ駆動の床８を有する送り口マガジン６と、該マガジンに沿って移動するように取り付けられ、該スタックが該モータ駆動の床で該取出し板に向かって移動する間に該スタックを立った状態で維持するように該スタックの後ろに置くのに適した保持パドル９と、を含む。【選択図】図１
0003227609.tif 000002
【実用新案登録請求の範囲】
【請求項１】
郵便物（２）を仕分けるための装置（１）であって、連続して置かれた郵便物を連続して立った状態で移動させる仕分けコンベヤ（４）へ送り出すように、郵便物のスタックの先頭で郵便物を分離するのに適した取出し板（３）を有する取出し部と、該取出し板より上流で、立った状態の郵便物のスタックを受け取るように設計されたモータ駆動の床（８）を有する送り口マガジン（６）と、該マガジンに沿って移動するように取り付けられ、該スタックが該モータ駆動の床で該取出し板に向かって移動する間に該スタックを立った状態で維持するように該スタックの後ろに置くのに適した保持パドル（９）と、を含み、該送り口マガジン（６）の該モータ駆動の床（８）は、制御・司令ユニット（１３）によって選択的に制御されるそれぞれ独立のモータドライブによって駆動される複数のモータ駆動の床のセグメント（１２）から構成され、位置センサ（１４）が、該モータ駆動の床のセグメント（１２）に対する該保持パドル（９）の相対的な位置を示す信号を生成するために備わり、該制御・司令ユニット（１３）が、該保持パドルの後ろに置かれたスタックの郵便物（２）を、該郵便物の下部が該保持パドルに対して押し付けられるのに応じて強制的に直立させるように、該保持パドル（９）よりも上流側のセグメント（１２）が、該保持パドル（９）よりも下流側のセグメントが進行する速度とは異なる速度で進行させるように構成されている装置。
【請求項２】
請求項１に記載の装置であって、該制御・司令ユニット（１３）が、あらかじめ定められた基準時間の後に該保持パドル（９）よりも上流側のモータ駆動の床のセグメント（１２）の進行の速度を減少させるように構成されている装置。
【請求項３】
請求項１または２に記載の装置であって、該保持パドル（９）が引っ込み可能な傾斜板（１１）を備えた背面（１０）を有する装置。
【考案の詳細な説明】
【技術分野】
【０００１】
本考案は郵便物を仕分けするための装置に関する。該装置は、連続して置かれた郵便物を連続して立った状態で移動させる仕分けコンベヤへ送り出すように、郵便物のスタックの先頭で郵便物を分離するのに適した取出し板を有する取出し部と、該取出し板より上流で、立った状態の郵便物のスタックを受け取るように設計されたモータ駆動の床を有する送り口マガジンと、該マガジンに沿って移動するように取り付けられ、該スタックが該モータ駆動の床で該取出し板に向かって移動する間に該スタックを立った状態で維持するように該スタックの後ろに置くのに適した保持パドルと、を含む。
【背景技術】
【０００２】
このタイプの装置において、郵便物は通常、取り出し部の送り口マガジンに立った状態でスタックとして置かれるように格納トレイから降ろされる。
【０００３】
上記のトレイにおいて、郵便物は通常立った状態でスタックとして格納されており、該スタックは該トレイの長手方向に延伸している。
【０００４】
該トレイの格納物は手作業で降ろすことができ、手作業で降ろすことは、機械操作員が郵便物の一掴みを手で取り、送りマガジンの固定した（停止した）床のセグメントに置くことからなる。たとえば、特許文献１から公知のように、該床のセグメントは、モータ駆動され（したがって、移動し）、保持パドルと同期して動作する、該マガジンの別のセグメントより上流に位置する。
【０００５】
一般的に、郵便物のスタックは、送りマガジンの床に置かれると崩れがちである。そこで機械操作員は、スタックを直立させ立った状態とするように、一方の手を取り出し板に向かってスタックの前方を保持するのに使用し、もう一方の手を該スタックの後方で郵便物の下部を第１の手に向かって押し付けるのに使用する。
【０００６】
特許文献２-４は、取り出し部に向かって立った状態で物品を搬送するのを容易にする半自動装置を開示している。
【０００７】
しかし、郵便物のスタックを直立させ立った状態で運ぶのは職業病を引き起こす身体的に骨の折れる仕事である。
【先行技術文献】
【特許文献】
【０００８】
【特許文献１】FR 2903393
【特許文献２】EP-A-0562954
【特許文献３】EP-A-2292539
【特許文献４】DE-A-10350623
【考案の概要】
【考案が解決しようとする課題】
【０００９】
本考案の目的は上記の欠点を軽減することである。
【課題を解決するための手段】
【００１０】
この目的のために本考案は郵便物を仕分けるための装置を提供する。該装置は、連続して置かれた郵便物を連続して立った状態で移動させる仕分けコンベヤへ送り出すように、郵便物のスタックの先頭で郵便物を分離するのに適した取出し板を有する取出し部と、該取出し板より上流で、立った状態の郵便物のスタックを受け取るように設計されたモータ駆動の床を有する送り口マガジンと、該マガジンに沿って移動するように取り付けられ、該スタックが該モータ駆動の床で該取出し板に向かって移動する間に該スタックを立った状態で維持するように該スタックの後ろに置くのに適した保持パドルと、を含み、該送り口マガジンの該モータ駆動の床は、制御・司令ユニットによって選択的に制御されるそれぞれ独立のモータドライブによって駆動される複数のモータ駆動の床のセグメントから構成され、位置センサが、該モータ駆動の床のセグメントに対する該保持パドルの相対的な位置を示す信号を生成するために備わり、該制御・司令ユニットが、該保持パドルの後ろに置かれたスタックの郵便物を、該郵便物の下部が該保持パドルに対して押し付けられるのに応じて強制的に直立させるように、該保持パドルよりも上流側のセグメントが、該保持パドルよりも下流側のセグメントが進行する速度とは異なる速度で進行させるように構成されている。
【００１１】
上記の特徴によって、機械操作員は、パドルの後ろで下方に滑ったり倒れたりした郵便物のスタックを、一方の手でスタックの前方を支えるだけで苦労することなく直立させることができる。
【００１２】
保持パドルの進行速度とそれより上流のモータ駆動の床のセグメントの進行速度との差によって、保持パドルはそれより上流のセグメントよりもゆっくり移動し、郵便物の下部は保持パドルに対して直立するように強制され、このようにして郵便物が立った状態へ直立するようになる。
【００１３】
取り出し部へ郵便物を送るプロセスを最適化することによってコンベヤに郵便物を順番に並べる速度を改善することができ、より一般的に、仕分け装置で郵便物を処理する処理速度を増加させることができる。
【００１４】
本考案は以下の特徴を有してもよい。
【００１５】
該制御・司令ユニットが、あらかじめ定められた基準時間の後に該保持パドルよりも上流側のモータ駆動の床のセグメントの進行の速度を減少させるように構成されている。
【００１６】
また、該保持パドルが引っ込み可能な傾斜板を備えた背面を有する。該傾斜板は、直立化作業をより効率的にすることによって、直立化作業において機械操作員を援助することができる。
【図面の簡単な説明】
【００１７】
【図１】本考案の仕分け装置の非常に概略な図である。
【図２】郵便物のストックを直立させる間の本考案の仕分け装置の部分の非常に概略な図である。
【考案を実施するための形態】
【００１８】
本考案は図面を参照しながら以下により詳細に説明される。図面は、送り口マガジンにおいて郵便物のスタックを直立させる機能を含む郵便物を仕分けるための装置の一例を示す。
【００１９】
図１は郵便物２を仕分けするための本考案の仕分け装置１を示す。装置は、郵便物のスタックの先頭の郵便物を連続して置くように設計された取出し板３を有する取出し部と、取り出し部から受け取り、連続して置かれた郵便物が立った状態で仕分け出口５へ移動する仕分けコンベヤ４とを含む。
【００２０】
仕分け装置１は、また取出し板３の上流から郵便物２を送り出すための送り口マガジン６を含み、そのマガジンは、立った状態の郵便物２を載せたトレイを受け取るように設計された非モータ駆動の床７を有する。トレイは機械操作員によって非モータ駆動の床７に置かれる。
【００２１】
非モータ駆動の床７と直線をなして下流側に延伸するマガジン６は、機械操作員によってトレイから降ろされ立った状態の郵便物２のスタックを受け取るように設計されたモータ駆動の床８を含み、モータ駆動の床８は郵便物２のスタックを自動的に取り出し板３に向かって搬送方向Ｆ１に移動させることができる。
【００２２】
トレイに平坦な状態で格納された郵便物を処理する場合に、郵便物が立った状態で直接モータ駆動の床の上に置かれるようにトレイを自動的に傾ける傾斜手段が備わる。
【００２３】
モータ駆動の床８及び非モータ駆動の床７に沿って移動するように据え付けられる可動保持パドル９がさらに備わる。保持パドル９は、郵便物２のスタックがモータ駆動の床８上で取出し板３に向かって移動している間にスタックを立った状態で維持するように、機械操作員によってスタックの後ろに置かれるように設計されている。
【００２４】
本実施例において、保持パドル９が郵便物２のスタックに対して進行する速度は、郵便物２がスタックから取り出される速度の関数であることが理解できる。
【００２５】
保持パドル９は、また、引っ込み可能な傾斜板１１を備えた背面１０を有する。本実施例で傾斜板１１は該保持パドルの厚さ内で自由にスライドするように据え付けられ、保持パドル９に押し付けられるようにやって来る郵便物２の別のスタックの直立動作を導く。
【００２６】
より具体的に、上述の傾斜板１１は水平な上側の辺を有し、その辺は保持パドル９内の二つの鉛直方向の溝内でスライドするように取り付けられる。休止状態で、傾斜板が、パドル内に引っ込んだ引っ込み位置をとるように強制するように弾性部材を備えてもよく、スタックを直立させるように傾斜板をパドルの外側で傾いた状態に維持するロック部材を備えてもよい。
【００２７】
マガジン６のモータ駆動の床８も複数のモータ駆動セグメント１２から構成され、各々のセグメントは制御・司令ユニット１３によって選択的に駆動される独立したモータ駆動部を有する。
【００２８】
本実施例において、各々のモータ駆動セグメントは一つのトレイを満たすスタック内の全ての郵便物を移動させるように設計されている。
【００２９】
本実施例において、制御・司令ユニット１３は、搬送方向Ｆ１に関し、保持パドル９よりも上流側のモータ駆動の床８のセグメントの速度を、保持パドル９よりも下流側のセグメントの速度に対して増加させるように設計されている。
【００３０】
本実施例において、モータ駆動セグメントの速度は、取り出し部における郵便物の最適な送り出しを保証するために、パドルより上流側及び下流側の間で同期していることが理解できる。
【００３１】
本実施例において、制御・司令ユニット１３は、トレイ内で立った状態で格納された郵便物または平坦な状態で格納された郵便物をそれぞれ処理するように適応された二つの動作モードに対してパラメータ化されている。
【００３２】
操作員は送りマガジンに載せられた郵便物に応じて適切な動作モードを選択することができる。
【００３３】
本実施例において、司令パネル１５は、二つの動作モードのうちの一つを選択する目的でモータ駆動の床８の近傍に備わる。
【００３４】
仕分け装置１は、また、モータ駆動の床セグメントに対するパドルの相対的な位置を示す目的で制御・司令ユニット１３へ信号を送るように設計されている位置センサ１４を含む。
【００３５】
仕分け装置は、また、送りマガジン上のスタックの位置に関するデータを生成することのできるその他のセンサを含む。制御・司令ユニット１３は、逆に各々のセグメントの速度を他のセグメントとは独立して制御するために上記のデータを取り出して処理する。
【００３６】
センサによって生成されるデータに応じて、制御・司令ユニット１３は、たとえば、各々のセグメント１２を同じ速度で起動し、保持パドル９までそれぞれのセグメントのそれぞれの速度を徐々に増加または減少させ、あらかじめ定められた基準時間セグメント１２の速度を制御してもよい。
【００３７】
本考案の仕分け装置で郵便物を処理する際に、機械操作員は司令パネル１５で動作モードを（立ちまたは平坦）を選択することから始める。
【００３８】
機械操作員が動作モードを変更しない限り、制御・司令ユニット１３は以前に選択された操作モードで動作し続ける。
【００３９】
トレイに立った状態で格納された郵便物を仕分けするために、機械操作員は、郵便物２が載せられたトレイを非モータ駆動の床７に置くことから始め、つぎに郵便物２を手でつかんで回収し、連続的に動作するモータ駆動の床８の上のスタックに置く。
【００４０】
トレイに平坦な状態で格納された郵便物を仕分けするために、傾斜手段がトレイを傾けて郵便物を直接モータ駆動の床８の上に置く。この状況で制御・司令ユニットはセンサによって検出されたスタックの位置の関数としてセグメントを制御する。
【００４１】
両方の状況で、立った状態で置かれたスタックは、モータ駆動の床に滑り落ちるか倒れがちである。
【００４２】
選択された動作モードで制御・司令ユニット１３がセグメント１２を制御している間に、（本例の図２（ａ）に置いて手Mで表される）機械操作員はスタックの前方かつ下に右手を置き、スタックの下部かつ後方に左手を置いて、スタックがセグメント１２上で移動するのを利用して、苦労することなく、保持パドル９に対してスタックを直立させる。
【００４３】
スタックの先頭の郵便物が保持パドル９に触れると、図２（ｂ）に見られるように、機械操作員はスタックが後方に傾くのを防止するためにスタックの下部かつ後方に左手を置いたまま右手を引っ込め、スタックが自動的に移動するのを利用して、図２（ｃ）に示すようにスタックが保持パドル９に対して直立するようにする。
【００４４】
パドルが傾斜板１１を備えている場合には、スタックの先頭の郵便物はパドルの後方に沿って自身で立ち上がるので、保持パドル９に対して郵便物のスタックを直立させるように機械操作員が右手を使用する必要はない。
【００４５】
機械オペレータはその後、図２（ｄ）に示すように保持パドル９が直立した郵便物のスタックの後ろに位置するように保持パドル９を移動させる。
【００４６】
位置センサは保持パドル９の新たな位置を検出し、制御・司令ユニット１３へ信号を送り、制御・司令ユニット１３は、保持パドル９と取出し板３との間の、新たに直立した郵便物２のスタックがその上に位置するセグメント１１の速度を保持パドルの進行速度とほぼ同じになるように減少させる。
【００４７】
基準時間が経過すると、保持パドル９より上流のセグメントは、郵便物の新たなスタックを直立させるまで停止する。
【図１】
0003227609.tif 000003
【図２】
0003227609.tif 000004